(57)【特許請求の範囲】
【請求項１】
生態グラデーション層（１０）と透水路面層（４０）からなる地球の温暖化を改善する人工路面の製造方法であって、
まず地表を平らにした後、一般的な道路工事のグラデーション材料や現地の土砂を用いた生態グラデーション層（１０）内に、複数の透孔（１１２）を備えた殻（１１１）により構成される、内部が中空の中空体（１１）を混ぜ合わせ、その生態グラデーション層（１０）を敷設した後、適度な圧力をかけて固め、
生態グラデーション層（１０）の上方に、透水路面層（４０）を設け、
以上の構造により、地面の上の雨水は、各種の人工で設けられた地質層に浸透し、最終的に、地底土壌層（５０）下の地下水源層（６０）内に滲みこみ、雨水を、計画的に、地層の深いところの地下水源層（６０）内に流し込み地下水源を補充することができ、生態グラデーション層（１０）は、土壌の微生物や土壌内の原生動物に優れた生存環境を提供することができることを特徴とする、地球の温暖化を改善する人工路面の製造方法。
【請求項２】
前記生態グラデーション層（１０）の上方と前記透水路面層（４０）下方の間には、仲介層（２０）が敷設されることを特徴とする、請求項１に記載の地球の温暖化を改善する人工路面の製造方法。
【請求項３】
前記生態グラデーション層の上方と前記透水路面層（４０）の下方の間には、高速水誘導層（３０）が敷設されることを特徴とする、請求項１に記載の地球の温暖化を改善する人工路面の製造方法。
【請求項４】
前記仲介層（２０）の上方には前記高速水誘導層（３０）が設けられることを特徴とする、請求項２に記載の地球の温暖化を改善する人工路面の製造方法。
【請求項５】
前記中空体（１１）は防災貯水中空体であることを特徴とする、請求項１に記載の地球の温暖化を改善する人工路面の製造方法。
【請求項６】
前記中空体（１１）は土質改良中空体であり、中空体（１１）内には炭素物質（１１３）が詰められるか、土質改良剤が詰められることを特徴とする、請求項１に記載の地球の温暖化を改善する人工路面の製造方法。
【請求項７】
前記中空体（１１）は微生物培養中空体であり、中空体（１１）内には微生物菌種（１１４）が詰められることを特徴とする、請求項１に記載の地球の温暖化を改善する人工路面の製造方法。
【請求項８】
前記中空体（１１）は保水中空体であり、中空体（１１）内には、スポンジ、或いは、水分を吸収でき且つ微生物に分解されにくい物質などの含水物質（１１５）が詰められることを特徴とする、請求項１に記載の地球の温暖化を改善する人工路面の製造方法。
【請求項９】
前記中空体（１１）は、二等分にされた半分の殻（１１１）を相互に合わせてなるか、或いは、ブロー成形或いは注入成形で一体成型されることを特徴とする、請求項１に記載の地球の温暖化を改善する人工路面の製造方法。
【請求項１０】
前記仲介層（２０）は、不織布、或いは、ネット、或いは、砂層であることを特徴とする、請求項２に記載の地球の温暖化を改善する人工路面の製造方法。
【請求項１１】
前記高速水誘導層（３０）は、砕石或いは砂からなるか、或いは、両者を混ぜ合わせてなるか、或いは、砂土のグラデーション材料からなることを特徴とする、請求項３、または、請求項４に記載の地球の温暖化を改善する人工路面の製造方法。
【請求項１２】
前記透水路面層（４０、４０ａ）は、排水を行うための複数の管体（４１）と、上連結柱（４２）と、下連結柱（４３）と、空気貯蔵機能を備えた凝縮管（４５，４５ａ）とからなり、前記凝縮管（４５，４５ａ）は、管体（４１）に外管（４１４，４１４ａ）を結合させてなり、外管（４１４，４１４ａ）の頂端には孔（４１４１）が設けられ、外管（４１４，４１４ａ）の内層には挟み層（４１４２）が設けられ、管体（４１）と外管（４１４，４１４ａ）の両者が結合されると、排水を行えるとともに且つ水の凝縮を行えることができる管体が形成されることを特徴とする、請求項１に記載の地球の温暖化を改善する人工路面の製造方法。
【請求項１３】
前記透水路面層（４０、４０ａ）は、排水に用いられる複数の管体（４１）と、上連結柱（４２）と、下連結柱（４３）と、貯水装置（４６）とからなり、
貯水装置（４６）は管体（４１）の末端に連結され、貯水装置（４６）は上蓋（４６１）と下容器（４６２）とからなり、上蓋（４６１）の頂端には孔（４６１１）が設けられ、上蓋（４６１）の外周縁には凸縁（４６１２）が設けられ、上蓋（４６１）の直径は下容器（４６２）の直径より大きく、下容器（４６２）には、中央管（４６２１）と挟み層（４６２２）が設けられ、中央管（４６２１）の頂端の高さは他の箇所より高く、下容器（４６２）の頂縁には凸点（４６２３）が設けられ、上蓋（４６１）と下容器（４６２）を組み合わせると水が進入する隙間が形成され、中央管（４６２１）の内管壁には凸リブ（４６２４）が設けられ、
管体（４１）と貯水装置（４６）の両者が結合されると、排水が行えるとともに貯水を行うことが可能な管体が形成されることを特徴とする、請求項１に記載の地球の温暖化を改善する人工路面の製造方法。
【請求項１４】
前記生態グラデーション層（１０）と透水路面層（４０）からなる地球の温暖化を改善する人工路面の製造方法であって、
まず地表を平らにした後、一般的な道路工事のグラデーション材料や現地の土砂を用いた生態グラデーション層（１０）内に、複数の透孔（１１２）を備えた殻（１１１）により構成される、内部が中空状の中空体（１１）を混ぜ合わせ、その生態グラデーション層（１０）を敷設した後、適度な圧力をかけて固め、
生態グラデーション層（１０）の上方に、透水路面層（４０）を設け、
前記透水路面層（４０）に、ドリルで複数の排水孔（４０３）を開け、
さらに、前述の排水孔（４０３）上に、排水と空気貯蔵機能を備える凝縮管（４５，４５ａ）を設け、それにより、透水路面層（４０）は排水性路面層になり、
以上の構造により、地面の上の雨水は、各種の人工で設けられた地質層に浸透し、最終的に、地底土壌層（５０）下の地下水源層（６０）内に滲みこみ、雨水を、計画的に、地層の深いところの地下水源層（６０）内に流し込み地下水源を補充することができ、生態グラデーション層（１０）は、土壌の微生物や土壌内の原生動物に優れた生存環境を提供することができることを特徴とする、地球の温暖化を改善する人工路面の製造方法。
【請求項１５】
前記透水路面層（４０）は、生コンクリートを凝固させてなる硬い路面であることを特徴とする、請求項１４に記載の地球の温暖化を改善する人工路面の製造方法。
【請求項１６】
前記透水路面層（４０）は、アスファルト路面であることを特徴とする、請求項１４に記載の地球の温暖化を改善する人工路面の製造方法。
【請求項１７】
前記凝縮管（４５，４５ａ）は、排水と貯水機能を備える貯水管（４６ａ，４６ｂ）で代替されることを特徴とする、請求項１４に記載の地球の温暖化を改善する人工路面の製造方法。
【請求項１８】
前記排水孔（４０３）の上には、排水と空気貯蔵機能を備えた凝縮管（４５，４５ａ）が設けられる以外に、排水と貯水機能を備える貯水管（４６ａ，４６ｂ）も同時に設けられることを特徴とする、請求項１４に記載の地球の温暖化を改善する人工路面の製造方法。
【請求項１９】
排水と空気貯蔵機能を備える前記凝縮管（４５，４５ａ）は、内管と外管とからなり、前記内管は中空管であり、前記内管の頂端には外径が大きな外径拡大縁（４１５）が設けられ、外管の頂端には孔が設けられ、外管の内層は内斜面（４１４４）を形成し、外管の外表層には凸出構造（４１４５）が設けられていることを特徴とする、請求項１４に記載の地球の温暖化を改善する人工路面の製造方法。
【請求項２０】
前記排水と貯水機能を備える貯水管（４６ａ，４６ｂ）は、排水管（４１ｂ、４１ｃ）を貯水装置（４６）に結合してなり、貯水装置（４６）は、上蓋（４６１）と下容器（４６２）とからなり、上蓋（４６１）の頂端には孔（４６１１）が設けられ、上蓋（４６１）の外周縁には凸縁（４６１２）が設けられ、上蓋（４６１）の直径は下容器（４６２）の直径より大きく、下容器（４６２）には中央管（４６２１）と挟み層（４６２２）が設けられ、上蓋（４６１）と下容器（４６２）を組み合わせると、水が進入する隙間が形成されることを特徴とする、請求項１７に記載の地球の温暖化を改善する人工路面の製造方法。
【請求項２１】
前記排水と貯水機能を備える貯水管（４６ａ，４６ｂ）は、排水管（４１ｂ、４１ｃ）を下容器（４６２）に直接結合させてなり、前記排水管の頂端の外周縁には凸縁（４６１２）が設けられ、凸縁（４６１２）箇所の直径は下容器（４６２）の直径より大きく、下容器（４６２）には、中央管（４６２１）と挟み層（４６２２）が設けられ、下容器（４６２）の頂縁と排水管（４１ｂ、４１ｃ）の間には、水が進入する隙間が形成されることを特徴とする、請求項１７に記載の地球の温暖化を改善する人工路面の製造方法。
【請求項２２】
前記生態グラデーション層（１０）の上方と透水路面層（４０）の下方の間に、仲介層（２０）が設けられることを特徴とする、請求項１４に記載の地球の温暖化を改善する人工路面の製造方法。
【請求項２３】
前記生態グラデーション層（１０）の上方と透水路面層（４０）の下方の間に、高速水誘導層（３０）が設けられることを特徴とする、請求項１４に記載の地球の温暖化を改善する人工路面の製造方法。
【請求項２４】
前記仲介層（２０）の上方には高速水誘導層（３０）が設けられることを特徴とする、請求項２２に記載の地球の温暖化を改善する人工路面の製造方法。
【発明の詳細な説明】
【技術分野】
【０００１】
本発明は地球の温暖化を改善する人工路面の製造方法に関し、特に、地面の下の生態グラデーション層と地面の上の人工透水路面を構築することで、降った雨水を有効且つ素早く計画的に地下グラデーション層内に流れ込ませ、貯水を行い、地表面の水が溜まる量を減少させる効果を得ることができ、また、生態グラデーション層の土壌内に、微生物菌種や土壌内の原生動物が繁殖するのにより優れた環境が形成され、生物が多様化する効果があり、ひいては、土壌を湿った状態に保つことで、環境の温度と湿度を調整する作用があり、土質を改善する効果がある、地球の温暖化を改善する人工路面の製造方法に関する。
【背景技術】
【０００２】
一般的なコンクリート路面の構築方法の多くは、まず十分な量の生コンクリートを流し込み、さらに、生コンクリートの表面を平らにする。その後、路面を構成するレンガを敷くと人工コンクリート路面の施工が完成する。
【０００３】
この従来の地表路面は、コンクリート、或いは、コンクリートとレンガを結合させて構成されるが、コンクリートは一般的に透水性を備えておらず、たとえ透水性コンクリートだったとしても、その隙間は極めて詰まりやすく、また、コンクリートレンガは酸化カルシウムが生じ、自然に隙間が詰まってしまい、しかも掃除することができない。そのため、透水効率は大雨が降る速度に追いつかず、そのため、地面に水が溜まった時、素早く地表の雨水を地底の土壌層内に流し込むことができず、その地域は、大雨で水が溜まって水害を引き起こしやすくなる。
【０００４】
一般的な道路や都会の地域では、地面の路面を建設する時、施工が便利であるため地表面を透水性のない路面にすることが多い。それにより、地底の土壌は地面の上の空気と接触することができず、また、雨が降った時に地下水を補充することができないという欠点がある。このことは環境保護に対して疑いもなく大きな害を及ぼす。従って、この透水作用構造をもたないコンクリート路面は理想的とはいえない。また、都市の中では、一旦雨が降ると、その地表は水を滲みこませる能力を備えていないため、大量の雨水が全部排水溝に流れ込み、各排水溝を経由して下水道管へ流れ、さらに海へと流れ出るため、水資源の無駄となる。或いは、低い窪地の地域へ流れて水害を引き起こし、人々の生命や、財産の損害を引き起こす。
【０００５】
古くから知られていることだが、土壌は水分を吸着する機能があり、また、大気層に接触するため、大気環境が乾燥或いは非常に熱い状態にある時、湿り気が十分にある土壌は水蒸気を発し、大気環境と熱交換を行う作用がある。また、それ自体に湿度を調整する機能があるため、ヒートアイランド現象が生じるのを避けることができる。
【０００６】
従来の技術で知られているように、地面の下に素早く水が滲みこむ機能を備えていない場合、地面の上で雨水を排出する機能は大幅に下がる。従って、水が滲みこむ作用と保水作用の優れたグラデーション層を構築することは極めて重要である。また、土質の生態環境を改善するために、微生物と土壌の中の原生動物が生存しやすい土壌内の環境を作り出すことが必要である。土壌微生物は、主に、細菌（真性細菌と古細菌）、真菌（糸状真菌と酵母菌）、藻類である。また、土壌原生動物は、変形虫類、繊毛虫類、鞭毛虫類等の数が非常に多く、有機質の分解への貢献が大きい。また、土壌内の昆虫、例えば、蟻、ムカデ、ダニ、節足動物等は、土壌を動かしたり、生物の残骸を消化し有機質を提供したりする。ミミズは、土壌団粒を形成するのに役立っており、通気や排水をよくする。線虫は、有機物やその他の小さい生物を消化する。土壌内には、ネズミ類等の脊椎動物も存在し、それらは、土壌を軟らかくするとともに、その排泄物によって土壌に栄養を与えており、地下の生物連鎖の一員となっている。
【０００７】
土壌の微生物は、土壌を高い品質に保つ上で重要な役割を演じている。土壌生物の生存と、土壌環境の変化及び優劣が密接な関係があることは既に知られている。
【０００８】
研究によると土壌の重要性は以下の通りである。
１、有機物質を分解する。土壌は、有機物を分解して栄養要素にするミネラル化作用を行う。
２、空気中の窒素ガス（Ｎ２）を固定して、ＮＨ３に変え、その他の生物が利用可能な窒素源にすることができる。
３、硝化作用を行い、ＮＨ４＋を亜硝酸性窒素（ＮＯ２−）、そして硝酸性窒素（ＮＯ３−）に変え、植物が吸収できるようにする。
４、脱窒素作用を行い、ＮＯ３−をＮ２Ｏ及びＮ２に還元する。
５、結合された、或いは、固定されたリン、硫黄、鉄、マンガン等の化合物の溶解を促進する。
６、その他の土壌の微生物と相互に影響する。土壌の微生物が環境で生存するのに密接な関係がある。
【０００９】
以上の土壌の効果により、優れた環境を作り出されるため、土壌の微生物は大量に繁殖し、地球環境の土質の改善を行うことができる。それと同時に、人工透水路面底下に、保水グラデーション層を構築することで、透水性路面の上表面に直接接触させることができるため、土壌層と大気環境を相互に接触させることができ、その湿度及び温度の熱交換が呼吸のように行われ、温度調整と湿度調整を行うことができる。全体として、素早い水誘導作用により地表面に水が溜まるのを防ぐことができ、実際の効果を十分に発揮することができる。
【００１０】
以上のことに鑑み、本発明者は、積極的に研究開発を行って改良を重ね、地球の温暖化を改善する人工路面の製造方法を設計した。本発明では、環境を保護する透水作用を備えるコンクリート路面を簡単に構築することができ、その地底のグラデーション層を生態グラデーション層にすることで、活性化土壌の有機質を改造することができるとともに、地球の温暖化を改善することができる。
【発明の概要】
【発明が解決しようとする課題】
【００１１】
本発明は、高い透水性を備え、地表面の雨水を素早く地底の土壌にしみこませることができ、地表面に水が溜まって水害になる確率を減らし、十分な貯水機能と雨水資源を回収する効果を達成することが可能な、地球の温暖化を改善する人工路面の製造方法を提供することを目的とする。
【００１２】
また、本発明は、地面の下の土壌のグラデーション層を生態グラデーション層に変化させることで、外界の気温が非常に高温度の時、地質には多くの水分が含まれているため、貫通した管体により、水分が水蒸気に変化して外へ排出され、環境内の全体の温度と湿度を調整することができ、それにより、ヒートアイランド現象が生じるのを防ぐこと、或いは、ヒートアイランド現象を減らすことができる、地球の温暖化を改善する人工路面の製造方法を提供することを目的とする。
【００１３】
また、本発明は、土壌の生態グラデーション層は、地表の透水性路面により、水分を吸収しやすく、また、地表の下に排水兼貯水管体と排水兼凝縮管体を設けることで、その複数の管体により、地表面上の雨水を地面の下のグラデーション層に流れ込ませることができ、下に滲みこんだ水は地底の地下水層に入り込み、それにより、人工透水路面の下には、土壌の微生物と土壌の原生動物にとって優れた環境が形成され、グラデーション層は生態グラデーション層であるため、土壌と地面の大気層の間に地球の温暖化を改善する作用が形成される、地球の温暖化を改善する人工路面の製造方法を提供することを目的とする。
【課題を解決するための手段】
【００１４】
上述の目的を達成するために、本発明は、人工的な透水路面を設け、透水路面の下層には、高速水誘導層を選択的に設け、高速水誘導層は砕石、或いは、砂層からなり、或いは、高速水誘導層の下層には、選択的に仲介層を設けた後、更に、固めた生態グラデーション層を設ける。以上の構造により、下層の生態グラデーション層は、支持作用を備える以外に、生態グラデーション層内には空心中空体を設け（ニーズに応じて、防災貯水中空体、或いは、土質改良中空体、或いは、微生物培養中空体、或いは、保水中空体を設け）、それにより、地面の雨水が地下に素早く滲みこんだ後、さらに、生態グラデーション層は、水をたくさん貯蔵するとともに、微生物の繁殖を助け、大気の温度が高い時には、地底の湿気が透水路面の管体から蒸発し、環境の温暖化を改善する最も有効な方法となる。前記透水路面には、フレームワークにコンクリートを注入して排水機能をもつ複数の管体にする以外に、コンクリートで不透水路面を形成させ、さらにドリルで硬い路面に複数の排水孔を開け、さらに、排水と空気貯蔵機能をもつ凝縮管や排水と貯水機能を備える貯水管を、孔を開けた排水孔内に嵌合させる。以上により、人工路面は環境温暖化を改善する効果を備えることができる。
【図面の簡単な説明】
【００１５】
【図１】本発明で構築した人工地層の構造を示した概略図である。
【図２】本発明の透水路面の排水フレームワークの構成を示した分解図である。
【図３】本発明の透水路面の排水フレームワークを組みたてた後の外観を示した説明図である。
【図４】本発明の空気貯蔵機能を備えた排水管の構造を示した分解図である。
【図５】本発明の貯水装置の構造を示した分解図である。
【図６】本発明のグラデーション層内に中空体を設けた状態を示した説明図である。
【図７】本発明のグラデーション層内に、異なる機能をもつ中空体を設ける構造を示した説明図である。
【図８】本発明の透水路面内の排水兼凝縮管の作用を示した説明図である。
【図９】本発明の透水路面内の排水兼貯水管の作用を示した説明図である。
【図１０】コンクリート路面に排水孔を開けた本発明の別の実施例を示した概略図である。
【図１１】本発明の別の実施例の排水と空気貯蔵作用を備えた凝縮管構造を示した分解図である。
【図１２】本発明の図１１の管体を組み合わせた後の外観を示した概略図である。
【図１３】本発明の図１１の管体をコンクリート路面に嵌合させた後の状態を示した断面図である。
【図１４】本発明の別の実施例の排水と貯水作用を備えた貯水管構造を示した分解図である。
【図１５】本発明の図１４の管体を組み合わせた後の外観を示した概略図である。
【図１６】本発明の図１４の実施例の管体をコンクリート路面に嵌合させた後の状態を示した断面図である。
【図１７】本発明の図１４の実施例の管体貯水管の別の構造を示した概略図である。
【図１８】本発明の生態グラデーション層の別の実施例を示した概略図である。
【発明を実施するための形態】
【００１６】
図１に示すように、本発明による地球の温暖化を改善する人工路面の製造方法は、まず地表を平らにした後、生態グラデーション層１０を敷設する。その生態グラデーション層１０には、現地の土砂や、一般的な道路工事のグラデーション材料（砂石、或いは、粘土、或いは、砕石、或いは、混合透水コンクリートなどを含む）が用いられ、さらに、特殊作用をもつ中空体１１が設けられ、各要素を混ぜ合わせた後、底層に敷設し、適度な圧力をかけて固めた後、さらに、その上に仲介層２０を選択的に設けることができる。なお、仲介層２０は、不織布であるか、ネット或いは砂層にすることができる。さらに、仲介層２０には高速水誘導層３０が設けられ、高速水誘導層は、砕石、或いは、砂、或いは、両者を混ぜ合わせてなる。最後に、高速水誘導層３０の上方には透水路面層４０が設けられる。以上の構造により、地面の上の雨水は、各種の人工で設けられた地質層に浸透し、最終的に、地底土壌層５０下の地下水源層６０内に滲みこむ。従って、雨水を、計画的に、地層の深いところの地下水源層６０内に流し込み地下水源を補充することができる。また、グラデーション層を生態グラデーション層１０に変えることもできる。さらに、透水路面層４０を併せることにより、複数の機能を提供して、土壌の微生物や土壌内の原生動物に優れた生存環境を提供することができる。
【００１７】
なお、仲介層２０と高速水誘導層３０は、単独で設けることも、二つ同時に設けることもできる。また、生態グラデーション層１０の上方には、透水路面層４０を直接設けることもでき、仲介層２０と高速水誘導層３０は、施工する現地の実際の排水状況に応じて、設置するかどうかが決められる。いずれも、同様に、効果的な水誘導作用を達成するとともに、地球温暖化を防ぐ効果を発揮することができる。
【００１８】
図２、図３に示すように、透水路面層４０（図１に図示）は、排水に用いられる複数の管体４１と、上連結柱４２と、下連結柱４３、密封蓋プレート４４と、空気貯蔵機能を備えた凝縮管４５と、貯水装置４６とを相互に組み合わせてなる。凝縮管４５は空気貯蔵室機能を備え、地面に水が溜まって水害になったときに、土壌の地底の微生物や原生動物に呼吸する空間をあたえ生存させることができる。管体４１の頂端には小直径段部４１１が設けられ、管体４１の底端には環状係止部４１２と斜面係止ほぞ４１３とが設けられる（図４に図示）。管体４１の上端の小直径段部４１１は、上連結柱４２の短管４２１に嵌合され、管体４１の下端は、下連結柱４３の環状体４３１に嵌合され、環状体４３１は環状係止部４１２と斜面係止ほぞ４１３の間に挿入・固定される。管体４１の中央は空心状であり、生コンクリートを注入する時、密封蓋プレート４４が滑って動いて、管体が詰まるのを防ぐために、密封蓋プレート４４の底面には、複数の密封蓋４４１が設けられ、密封蓋４４１を管体４１上端の開口箇所に被せることで、施工時に生コンクリートの注入で詰まるのを防ぐことができ（図３に図示）、成型させた後にさらに撤去し、コンクリート透水路面層を形成させることができる。
【００１９】
図４は、空気貯蔵機能を備えた凝縮管４５の構造を示している。本実施例においては、管体４１の上に外管４１４を連結させる。外管４１４を製造する際に、その頂端には孔４１４１が設けられ、外管４１４の内層には挟み層４１４２が設けられ、管体４１と外管４１４の両者を結合させることにより、排水、通気を行えるとともに且つ水の凝縮も行える管体を形成させることができる。挟み層４１４２は、別の実施例では、外管と管体を連結させた外管の内壁と管体の外壁からなる。
【００２０】
図５に示すように、貯水装置４６は管体４１の末端に連結され、貯水装置４６は、上蓋４６１と、下容器４６２とによって構成する。上蓋４６１の頂端には孔４６１１が設けられ、上蓋の外周縁には凸縁４６１２が設けられ、上蓋４６１の直径は、下容器４６２の直径より大きく、生コンクリートを注入する時、生コンクリートや、高速水誘導層の細かい砂が下容器内に入り込むのを防ぐことができる。下容器４６２には、中央管４６２１と挟み層４６２２が設けられ、下容器の頂縁には凸点４６２３が設けられ、中央管４６２１の内管壁には凸リブ４６２４が設けられ、それにより、下容器４６２を管体４１末端に嵌合する時に便利であり、固定する効果がある。管体４１と貯水装置４６の両者を結合すると、排水と通気を行えるとともに且つ貯水が可能な管体を形成させることができる。また、上蓋４６１と下容器４６２を相互に合わせた時、凸点４６２３により空間に水が進入する隙間が形成される。また、別の実施例では、中央管４６２１の頂端の高さを、下容器４６２の最も外側の壁面の高さより高くすることで、上蓋４６１と下容器４６２を相互に合わせた時に、水が進入する隙間を形成させることができる。
【００２１】
図６と図７に示すように、前述した生態グラデーション層１０には、中空体１１が設けられ、現地の土砂（砂石、或いは、粘土、或いは、砕石、或いは、混合透水コンクリートなどを含む）を用いることもできるし、環境に無害で路面になるその他のグラデーション材料（例えば、セラムサイト）を混ぜて使用することもできる。また、特殊作用をもつ中空体１１は円形状にするのが好ましい。なぜなら、円形は、いずれの面も、最大の圧縮応力を受けることができ、しかも、グラデーション層に空間を提供することができるためである。ただし、中空体１１はその他の各種の幾何形態にすることもできる。中空体１１は、二等分にされた半分の殻１１１にすること、或いは、ブロー成形、注入成形で加工して一体成型の中空体にすることができる。中空体１１の材料は、プラスチックからなるのが好ましいが、その他の従来の材料にすることもできる。また、中空体の殼は厚い壁を備え、殻１１１には複数の透孔１１２が設けられる。本発明に使用される中空体１１は、需要に応じて、様々な機能をもった中空体にすることができる。それは、防災貯水中空体、或いは、土質改良中空体、或いは、微生物培養中空体、或いは、保水中空体、或いは、現地の生態が必要な機能をもつ中空体である。
【００２２】
図の実施例の防災貯水中空体は、二つの殻１１１を使用する。その殻は、相互に合わせると中空状を呈するとともに、透孔１１２を備える。中空体をグラデーション層内に混ぜと、地面に大量の雨が降り注いだ時、透水路面層４０によって雨水が下へ流れ、グラデーション層１０が瞬間的に水で一杯になった時、水分が殻の透孔１１２から中空体内の空間内に入り込むことで、地域の水害が発生する確率を下げることができる。そして、水が滲みこんで一定時間が経過し、地下水源層に滲みこんだ後、防災貯水中空体内に短期的に貯蔵された水は、ゆっくりと内部に含まれた水を放出する。以上により、地面は短時間で効果的に素早く水を排出する機能を得ることができる。
【００２３】
土質改良中空体は、二つの殻１１１を使用する。その殻を相互に合わせる時に、中空体内には炭素物質１１３（例えば、活性炭、或いは、備長炭）が詰め込まれるか、或いは、現地の土質の必要性に応じて土質改良剤が詰め込まれる。土質改良中空体をグラデーション層内に混ぜると、水が滲みこんでいく過程の中で、炭素物質１１３によって、土壌内や水中内の酸化物質や有害物質が吸収されるとともに活性化され、土質を改善することができる。
【００２４】
微生物培養中空体は二つの殻１１１を使用する。その殻を相互に合わせる時に、中空体内には微生物菌種１１４が詰め込まれる。それにより、大量の微生物に、極めて優れた生息環境を提供することができる。微生物培養中空体をグラデーション層材料内に混ぜると、微生物は優れた繁殖環境空間で効果的に培養され、土壌微生物が有機物質を分解し、硝化作用と脱窒素作用が行われることにより、土質の生態環境を改善することができるなどの利点がある。
【００２５】
保水中空体は二つの殻１１１を使用する。その殻を相互に合わせる時に、中空体内には含水物質１１５（例えば、スポンジ、或いは、水分を吸収でき且つ微生物に分解されにくい物質）が詰められる。保水中空体をグラデーション層内に混ぜると、水が滲みこんでいく過程の中で、含水物質１１５が水分を吸収するため水分が流失しにくく、微生物に水分の養分を与えることができる。それにより、干魃地域の土壌の保水状態や土質に含まれる水の量を改善することができる。さらに、地面が非常に熱くなり高温度の時、地質には多くの水分が含まれているため、それが水蒸気に変化して外へ排出され、外部環境との熱交換が行われる。それにより、ヒートアイランド現象が生じるのを防ぐこと、或いは、ヒートアイランド現象を減らすことができる。
【００２６】
図８に示すように、透水路面層４０の透水路面組織フレームワーク内には、空気貯蔵機能を備えた複数の凝縮管４５が設けられ、上連結柱４２、下連結柱４３は凝縮管の上下端に固定され、凝縮管４５の内部には挟み層４１４２が設けられる。寒冷気候の地域では、環境温度が極めて低温の時、地底高速水誘導層３０の土壌温度は地面外界の環境温度より高くなるため、挟み層４１４２内の管壁に凝縮水４１４３が形成される。それにより、大気中から水分が取り込まれ、土壌内の水分が自然に補充される。雨が降ってきた時、雨水は、透水路面の表層の水誘導溝４０１を経由して短管４２１に流れ込み、さらに下方の管体４１へ間接的に流れ込み、さらに高速水誘導層３０内に流れ込む。従って、水資源を有効に集めることができ、用水路に流れ込んで海へ流れ無駄になることを防ぐことができる。また、大雨で水害が発生したような場合は、空気貯蔵機能を備えた凝縮管４５の挟み層４１４２は上端が密封されているため、密閉された空気貯蔵空間を形成される。それにより、土壌内の微生物、或いは、原生動物にとって、呼吸するための空気を備えた避難室となり、全体が雨水につかった地域の地底の土壌内でも、そこから生存に必要な空気を得ることができるため、水で埋もれて死にいたるということを防ぐことができ、また、土壌内で生き残った微生物や原生動物は、短期間で自然に繁殖して元通りになり、土壌の有機物質に対して役に立つ。
【００２７】
図３、図５、図９に示すように、透水路面層４０の透水路面組織フレームワーク内には、複数の貯水機能を備えた貯水装置４６が設けられる。上連結柱４２、下連結柱４３の間には、排水に用いられる管体４１が固定される。また、管体４１の下端には貯水装置４６が設けられ（図３に図示）、貯水装置４６の上蓋４６１と下容器４６２には、中央管４６２１の頂端の高さが他の部分より高くなっている、或いは、凸点４６２３が設けられている（図５、図９に図示）ため、水が進入する隙間が形成される。それにより、高速水誘導層３０の水が一杯になった時に、下に滲みこんだ雨水が、水が進入する隙間から挟み層４６２２内へと溢れ貯蔵される。それにより、貯水された水分は、土壌内の微生物や原生動物が土壌の旱魃した時に生存に必要な水分となる。また、旱魃地区の地下水の温度と湿度を調整することができ、草木に水分が供給されることにより枯れてしまうことを減らし、土壌の砂漠化を防ぐことができる。
【００２８】
図１０、図１１、図１４は、本発明の別の実施例を示している。図に示すように、本実施例の特徴は、前述した透水路面層にある。まず地表を平らにし、生態グラデーション層１０を敷設した後、生態グラデーション層１０の上方に路面層４０ａを設けるが、路面層４０ａには鉄筋４０２が設けられる。鉄筋４０２は、縦横へと将棋盤式にくくるか、その他の補強部材を加えた後、生コンクリートを注入することで、凝固して硬いコンクリート路面になる。路面層４０ａは、コンクリートと補強部材を結合させなかった場合、アスファルト路面にすることができる。また、ドリル４７で硬い路面に複数の排水孔４０３が開けられる。また、排水、空気貯蔵機能を備える凝縮管４５ａ（図１１に図示）、或いは、排水と貯水機能を備える貯水管４６ａ（図１４に図示）は単一の管体形態であり、さらに、施工する地域の環境特性に応じて、一つ、或いは、二つを選択することができ、少なくとも一種類の管体を予め開けられた排水孔４０３内に嵌め込むと、同様に、環境の温暖化の改善効果をもつ人工路面が形成される。
【００２９】
図１１、図１２、図１３を参照する。図１０に採用した排水、空気貯蔵機能を備える単一形態の凝縮管４５ａは、内管４１ａと外管４１４ａとからなる。内管４１ａは中空管であり、内管４１ａの頂端には、外径が大きな外径拡大縁４１５が設けられ、外管４１４ａを製造するときに、その頂端に孔４１４１が設けられる。外管４１４ａの内層は内斜面４１４４を形成し、外管４１４ａの外表層には凸出構造４１４５が設けられる。それにより、凝縮管４５ａを、路面層４０ａに予め開けられた排水孔４０３内に嵌合させると（図１３に図示）、路面層４０ａが透水路面層となる。それにより、透水可能な路面層４０ａが水に埋もれた時、下方の生態グラデーション層１０が水で一杯になった後、雨水が挟み層４１４２内に流れ込む（図１３に図示）が、挟み層の上方に一定の空気が確保されるため、地面に水が溜まって水害になった時、土壤の地底の微生物と原生動物に呼吸ができる空間を提供し、生存させることができる。それと同時に、その外管４１４ａと内管４１ａの間の挟み層の管壁は、凝縮水の製造の空間を形成する。
【００３０】
図１４、図１５、図１６を参照する。図１０内で採用した単一形態の排水と貯水機能を備える貯水管４６ａは、排水管４１ｂに貯水装置４６を結合させてなる。貯水装置４６は、上蓋４６１と下容器４６２とによって構成する。上蓋４６１の頂端には孔４６１１が設けられ、上蓋の外周縁には凸縁４６１２が設けられ、上蓋４６１の直径は下容器４６２の直径より大きく、下容器４６２には、中央管４６２１と挟み層４６２２が設けられ、下容器の頂縁には、好ましくは凸点４６２３が設けられ、中央管４６２１の内管壁には凸リブ４６２４が設けられ、それにより、下容器４６２を管体４１ｂ末端に嵌合する時に便利であり、凸リブ４６２４により固定する効果がある。排水管４１ｂと貯水装置４６の両者を結合すると、排水ができるとともに貯水可能な貯水管４６ａが形成される。図中の実施例の下容器４６２の頂縁には凸点４６２３が設けられて、水が進入する隙間が形成される。また、別の実施例では、中央管４６２１の頂端Ａの高さを、下容器４６２の最も外側の壁面の頂端Ｂの高さより高くする（図１６に図示）。それにより、上蓋４６１と下容器４６２を相互に合わせた時、水が進入する隙間が形成される。
【００３１】
図１６の実施例の貯水管４６ａを、路面層４０ａに予め開けられた排水孔４０３内に嵌合させると（図１６に図示）、路面層４０ａに透水路面層を形成させることができる。それにより、透水可能な路面層４０ａに雨が降って下方の生態グラデーション層１０に排水された後、下方の生態グラデーション層１０は水が一杯になり、その後、下に滲みこんだ雨水は、水が進入する隙間から挟み層４６２２内に溢れて貯蔵される。それにより、貯水された水分は、土壌が旱魃してしまったときに、土壌内の微生物、或いは、原生動物に生存に必要な水分を提供する。また、旱魃地区の地下水の温度と湿度を調整することができ、草木に水分が供給されることにより枯れてしまうことを減らし、土壌の砂漠化を防ぐことができる。
【００３２】
生態グラデーション層１０と透水性路面層４０ａの間には、その土地の土質の需要に応じて、仲介層、或いは、高速水誘導層を設けることもできるし、また、両者を同時に設けることもできる。
【００３３】
図１７を参照する。本図の実施例に示す貯水管の別の構造において、単一形態の排水と貯水機能を備える貯水管４６ｂは、排水管４１ｃに直接、下容器４６２を結合させてなる。排水管４１ｃの頂端の外周縁には凸縁４１６が設けられ、凸縁４１６の直径は下容器４６２の直径より大きく、下容器４６２には、中央管４６２１と挟み層４６２２が設けられ、下容器の頂縁は、好ましくは凸点４６２３が設けられ、中央管４６２１の内管壁には凸リブ４６２４が設けられ、下容器４６２を排水管４１ｃの末端に被せた時、凸リブ４６２４によって固定効果が生じ、排水が可能であるとともに貯水も可能な貯水管４６ｂが形成される。
【００３４】
また、図の実施例の下容器４６２の頂縁には凸点４６２３が設けられて、水が進入する隙間を形成し、別の実施例では、中央管４６２１の頂端の高さＡを、下容器４６２の最も外側の壁面の頂端Ｂの高さより高くすることで、上蓋４６１と下容器４６２を合わせた時に、水が進入する隙間が形成される。
【００３５】
図１８に示すように、本実施例において、生態グラデーション層１０は、現地の土砂や一般的な道路工事のグラデーション材料（砂石、或いは、粘土、或いは、砕石、或いは、混合透水コンクリートなどを含む）を用いることもできるし、環境に無害で路面になるその他のグラデーション材料を混ぜて使用することもできる。生態グラデーション層１０には、特殊作用をもつ中空体１１が設けられ、また、その中空体１１は網袋に複数個集められて、袋状の中空体ユニット１２を形成する。なお、袋状の中空体ユニット１２は、直接グラデーション層に加えられるか、或いは、中空体ユニット１２は、現地の土砂に混ぜられた後にグラデーション層内に堆積される。それにより、前述したものと同様の効果を得ることができる。
【００３６】
以上で述べた説明は本発明の実施例にすぎず、本発明の特許請求の範囲の範囲を限定するものではない。従って、本発明の明細書及び図の内容を若干変更したものや同じ効果を生じる構造の変化などは、いずれも本発明の特許請求の範囲の範囲内であるものとする。
【符号の説明】
【００３７】
１０      生態グラデーション層      
１１      中空体
１１１    殻          
１１２    透孔
１１３    炭素物質        
１１４    微生物菌種
１１５    含水物質      
１２      中空体ユニット
２０      仲介層
３０      高速水誘導層
４０、４０ａ      透水路面層
４０１    水誘導溝        
４０２    鉄筋
４０３    排水孔        
４１      管体
４１ａ    内管            
４１ｂ、４１ｃ      排水管
４１１      小直径段部      
４１２      環状係止部
４１３      斜面係止ほぞ      
４１４、４１４ａ      外管
４１５      外径拡大縁        
４１６      凸縁
４１４１    孔          
４１４２    挟み層
４１４３    凝縮水      
４１４４    内斜面
４１４５    凸出構造
４２        上連結柱        
４２１      短管
４３        下連結柱        
４３１      環状体
４４        密封蓋プレート        
４４１      密封蓋
４５、４５ａ      凝縮管
４６        貯水装置        
４６ａ、４６ｂ      貯水管
４６１      上蓋          
４６１１    孔
４６１２    凸縁
４６２      下容器          
４６２１    中央管
４６２２    挟み層        
４６２３    凸点
４６２４    凸リブ
４７        ドリル
５０        地底土壌層
６０        地下水源層
【図１】
0005457412.tif 000002
【図２】
0005457412.tif 000003
【図３】
0005457412.tif 000004
【図４】
0005457412.tif 000005
【図５】
0005457412.tif 000006
【図６】
0005457412.tif 000007
【図７】
0005457412.tif 000008
【図８】
0005457412.tif 000009
【図９】
0005457412.tif 000010
【図１０】
0005457412.tif 000011
【図１１】
0005457412.tif 000012
【図１２】
0005457412.tif 000013
【図１３】
0005457412.tif 000014
【図１４】
0005457412.tif 000015
【図１５】
0005457412.tif 000016
【図１６】
0005457412.tif 000017
【図１７】
0005457412.tif 000018
【図１８】
0005457412.tif 000019